(57)【特許請求の範囲】
【請求項１】
駅務機器に使用される係員機であって、
当該係員機が複数のユニットで構成されるとき、供給された所定の電源から前記ユニットに供給する電源を生成する電源手段と、
この電源手段で生成された電源と前記ユニットの電源供給ラインをオン／オフする切換手段と、
この切換手段を制御する制御手段と、
当該係員機を操作するために操作部と操作案内を行う表示部を備えた係員操作表示手段と、この係員操作表示手段の下部に配置され、当該係員機を操作する係員の在／不在を検知する検知手段と、
を備え、
前記検知手段は、前記検知手段が係員の在を検知したときに追従して係員在と認識し、係員の不在が所定時間継続していることを検知したときに係員不在と認識し、
前記制御手段は、
前記検知手段が係員不在と認識したときに、前記切換手段を制御して前記係員操作表示手段の電源をオフし、前記検知手段が係員在と認識したときに、前記係員操作表示手段の電源をオンする係員機。
【請求項２】
前記検知手段の電源は、前記係員機の電源オン／オフに連動してオン／オフ制御され、
前記制御手段は、
前記係員機の電源がオン状態で、かつ、前記検知手段によって係員在と認識されたことにより前記係員操作表示手段の電源がオンのとき、係員が前記係員操作表示手段から操作した指示に基づき、当該指示を処理するのに必要な前記ユニットの電源をオンし、当該ユニットによる処理が終了したときに当該ユニットの電源をオフする請求項１記載の係員機。
【発明の詳細な説明】
【技術分野】
【０００１】
本発明の実施形態は、係員機に関する。
【背景技術】
【０００２】
駅務機器は、鉄道の利用者が使用する自動改札機及び券売機並びに駅係員が使用する定期券発行機などの係員機などを有して構成される。
【０００３】
近年、機器に対する省エネの重要性が増すに従い、当該駅務機器の省エネも要求されてきた。券売機などは、利用客が当該券売機の操作画面の前にいる人を検知して、又は当該操作画面がタッチされると当該操作画面の表示を行うことはしられており、当該方法を用いることによって、省エネの効果が得られるだけでなく、当該操作画面の長寿命化の効果が得られる（例えば、特許文献１参照。）。
【０００４】
しかしながら、駅係員が使用する定期券発行機などの係員機は、通常、係員が当該係員機の前に在籍していることを前提に装置が構成されているため、係員の在／不在によって係員機の電源のオン／オフを行っていない。なお、省エネルギー状態からの迅速な復帰を可能とする画像処理装置、及びその制御方法が知られている（例えば、特許文献１参照。）。
【先行技術文献】
【特許文献】
【０００５】
【特許文献１】特開２０１１−２５９３２６号公報
【発明の概要】
【発明が解決しようとする課題】
【０００６】
上述した理由により、係員機を操作する係員は、通常当該係員機の前に在籍していることを前提にしているため、当該係員機の省エネ効果が得られないという課題があった。
【０００７】
本発明は、上述した課題を解決するためになされたもので、係員機を操作する係員の在／不在を近接センサで検知し、係員の不在時には当該係員機を構成するユニットの電源を事前に設定された設定値に基づいて個別にオフし、当該係員が在時にオフしたユニットの電源を自動的に回復すると共に係員操作表示部から指示された処理に不要なユニットの電源をオフすることにより省エネ効果が得られる係員機を提供する。
【課題を解決するための手段】
【０００８】
上記目的を達成するために、本発明の請求項１記載の係員機は、駅務機器に使用される係員機であって、当該係員機が複数のユニットで構成されるとき、供給された所定の電源から前記ユニットに供給する電源を生成する電源手段と、この電源手段で生成された電源と前記ユニットの電源供給ラインをオン／オフする切換手段と、この切換手段を制御する制御手段と、当該係員機を操作するために操作部と操作案内を行う表示部を備えた係員操作表示手段と、この係員操作表示手段の下部に配置され、当該係員機を操作する係員の在／不在を検知する検知手段と、を備え、前記検知手段は、前記検知手段が係員の在を検知したときに追従して係員在と認識し、係員の不在が所定時間継続していることを検知したときに係員不在と認識し、前記制御手段は、前記検知手段が係員不在と認識したときに、前記切換手段を制御して前記係員操作表示手段の電源をオフし、前記検知手段が係員在と認識したときに、前記係員操作表示手段の電源をオンする。
【図面の簡単な説明】
【０００９】
【図１】実施例１に係る係員機
【図２】係員機の斜視図
【図３】係員機の電源切換制御の構成図
【図４】実施例１に係る電源切換動作を説明するタイミングチャート
【図５】実施例２に係るユニットに供給する電源のグループ分けの一例である
【発明を実施するための形態】
【００１０】
係員機は、係員操作表示部、発券部、氏名転写部、客用表示部、ジャーナルプリンタ部、レシートプリンタ部、ＩＣカード処理部、クレジットカード処理部、回数券発行機及び自動釣銭機などの複数のユニットで構成される。さらに、これらの各ユニットを駆動するための電源を供給する電源部と、この電源部で生成された電源をオン／オフするスイッチを有する切換制御部と、この切換制御部を制御する制御部と当該係員機の係員の在／不在を検知する近接センサを有して構成される。
【００１１】
上記近接センサが係員の不在を検知すると、当該近接センサ情報は制御部に出力される。制御部は、事前に設定された省エネ情報に基づいて、当該係員機を構成するユニットの電源をオフするための電源オフ信号を切換制御部に出力する。
【００１２】
切換制御部は、上記制御部から出力された電源オフ信号に基づいてスイッチをオフする。この制御によって、スイッチがオフされたユニットの電源供給が停止するため、消費電力が減少する。一方、近接センサが係員を検知すると、当該近接センサ情報は制御部に出される。制御部は、事前に設定された省エネ情報に基づいて、当該係員機を構成するユニットの電源をオンする。以下、図面を参照して詳細に説明する。
【実施例１】
【００１３】
図１は、本実施例に係る係員機１である。図１（１）は正面図で、図１（２）は平面図で、図１（３）は左側面図で、図１（４）は右側面図である。また、図２は、係員機１の斜視図である。図３は、実施例１に係る係員機１の電源切換制御を説明する構成図である。
【００１４】
図１に示す係員機１は、係員操作表示部（係員操作表示手段）５０、発券部６０、氏名転写部７０、客用表示部８０、ジャーナルプリンタ部９０、レシートプリンタ部１００、ＩＣカード処理部１１０、クレジットカード処理部１２０、回数券発行機１３０及び自動釣銭機１４０などの複数のユニットで構成される。さらに、これらの各ユニットを駆動するための電源を供給する電源部１０と、この電源部（電源手段）１０で生成された電源をオン／オフするスイッチを有する切換部２０と、この切換部（切換手段）２０を制御する制御部（制御手段）３０と当該係員機の係員の在／不在を検知する近接センサ（検知手段）４０を有して構成される。
【００１５】
なお、電源部１０で生成される電源には、交流電源（ＡＣ電源）及び直流電源（ＤＣ電源）の一方又は両方の電源が含まれる場合がある。生成される電源は供給されるユニットが必要とする電源の種類によるためである。従って、図３に示す切換部２０によって切り換えられる電源にはＡＣ電源もＤＣ電源も含まれる。
【００１６】
係員操作表示部５０は、係員が当該係員機１を操作するための操作部と操作案内を行う表示部を有し、当該表示部表面に配置したタッチパネルにより一体となって構成される。
【００１７】
発券部６０は、裏面に磁性体が塗布された磁気定期券又は磁気普通券などの磁気乗車券を発券する。
【００１８】
氏名転写部７０は、定期券の購入者（利用者）が購入申請書に記載した氏名を転写する。
【００１９】
客用表示部８０は、係員の処理結果を利用客（利用者）に見せるための表示部である。
【００２０】
ジャーナルプリンタ９０は、当該係員機１の利用状況を印字する。
【００２１】
レシートプリンタ１００は、利用者が購入した乗車券の料金の支払いに対するレシート（領収書）を発行する。
【００２２】
ＩＣカード処理部１１０は、利用者が提示したＩＣカードを読み取り、利用者の要求に基づいて書き込む。例えば、当該ＩＣカードに対するチャージ処理や、当該ＩＣカードを定期券に設定する処理を行う。
【００２３】
クレジットカード処理部１２０は、利用者が購入した乗車券又は定期券の料金の支払いを当該提示されたクレジットカードによって決済処理する。
【００２４】
回数券発行機１３０は、利用者の要求した区間の回数券を発行する。
【００２５】
自動釣銭機１４０は、上記乗車券の料金が現金で決済した場合の釣銭を排出する。
【００２６】
図３（１）は、本実施例１に係る電源部１０、切換部２０及び制御部３０を有する電源切換機構と、この電源切換機構によって切り替えられた電源の供給を受ける各ユニットの構成を示す図である。
【００２７】
電源部１０は、上述した各ユニットに供給する電電を生成する。一般的には外部からＡＣ１００Ｖの電源を入力する入力部を有し、当該入力部から入力されたＡＣ電源から各ユニットが必要とする電源を生成して出力する。なお、この生成され電源には、各ユニットで必要とする電源を供給するため、ＡＣ１００Ｖを供給する場合に限らず必要に応じてＤＣ電源に変換して供給する場合もある。
【００２８】
図３（２）は、切換スイッチ２２ｂの接続端子を説明する図である。電源部１０の出力端子ｂは切換部２０に設けられた切換スイッチ２２ｂの一方のスイッチ端子ａに接続され、他方のスイッチ端子ｂは係員操作表示部５０の電源入力部に接続される。また、この切換スイッチ２２ｂの制御端子ｇは、切換制御部２１の出力端子ａに接続される。この制御端子ｇを制御することにより切換スイッチ２２ｂのスイッチ端子ａ及びスイッチ端子ｂ間を開閉（オン又はオフ）することができる。電源部１０の他の出力端子ｃ〜ｋも同様に、それぞれ対応する切換スイッチ２２ｃ〜２２ｋの一方のスイッチ端子ａに接続され、他方のスイッチ端子ｂはそれぞれ対応するユニット６０〜１４０の電源入力部に接続される。また、上記同様に、対応する切換スイッチの制御端子ｇを制御することにより当該切換スイッチ２２ｃ〜２２ｋのスイッチ端子ａ及びスイッチ端子ｂ間を開閉（オン／オフ）することができる。
【００２９】
図３（２）に示した例は、電源供給ラインが1個（１極）の場合を示しており、例えば、ユニットに供給する電源がＤＣ電源の場合に好適である。一方ユニッに供給する電源がＡＣ電源の場合には、電源供給ラインが２個（２極）あるため、図３（３）に示すようにスイッチ端子ａ１とスイッチ端子ｂ１間及びスイッチ端子ａ２とスイッチ端子ｂ２間を同時に開閉（オン／オフ）する場合に好適である。
【００３０】
制御部３０は、近接センサ４０から出力された係員の在／不在情報が、係員不在の場合、事前に設定された省エネ情報を切換部２０の切換制御部２１に出力する。切換制御部２１は、出力された省エネ情報に基づいてスイッチ接点のゲートを制御してスイッチ接点同士を開き（オフし）、指定されたユニットに対する電源供給を停止する。
【００３１】
制御部３０はまた、近接センサ（検知手段）４０から出力された係員の在／不在情報が、係員在の場合、事前に設定された省エネ情報に基づいてスイッチ接点のゲートを制御してスイッチ接点同士を閉じ（オンし）、指定されたユニットに対する電源の供給を再開する。
【００３２】
ここで、事前に設定された省エネ情報の説明を行う。係員機１を構成するユニットを（１）〜（３）に示すように分類する。
【００３３】
（１）近接センサ４０・・・・常時電源を供給する。  
（２）係員操作表示部５０・・近接センサで人（係員）を検知した場合に電源を供給する。  
（３）発券部６０、氏名転写部７０、客用表示部８０、ジャーナルプリンタ部９０、レシートプリンタ部１００、ＩＣカード処理部１１０、クレジットカード処理部１２０、回数券発行機１３０及び自動釣銭機１４０・・・係員操作表示部で操作した業務に必要な電源を供給する。
【００３４】
上記（１）に示す近接センサ４０は、係員機１の電源オンと同時に起動する。係員の在／不在を検知するためには常時電源が供給されている必要がある。
【００３５】
上記（２）に示す係員操作表示部５０は、近接センサが人（係員）を検知した場合に電源を供給する。各ユニットの処理を行う場合であっても、最初は必ずこの係員操作表示部５０から操作することになるため、当該係員操作表示部５０の電源は、近接センサ４０によって係員が検知されている間は電源を供給する。
【００３６】
上記（３）の方法は、係員が係員機１の操作を行うために在籍している場合であっても、当該操作で必要としないユニットの電源をオフするものである。
【００３７】
図４は、本実施例１に係る電源切換動作を説明するタイミングチャートである。
【００３８】
図４（１）は、係員機１の主電源である。この主電源がｔ１のタイミングで投入（オン）されると、近接センサ４０の電源がｔ２のタイミングでオンになる（図４（２））。
【００３９】
この近接センサ４０の電源がオンになると、ｔ３のタイミングで近接センサ４０による係員の在／不在検知が可能になる（図４（３））。図示した例では、タイミングｔ３〜ｔ１１の間、ｔ１３〜ｔ２３の間及びｔ２５〜ｔ２９の間は在籍中であり、ｔ１１〜ｔ１３の間及びｔ２３〜ｔ２５の間は不在である場合を示す。
【００４０】
図４（４）は、係員操作表示部５０の電源状態を示す。上述したように係員操作表示部５０の電源は、近接センサによる在／不在検知結果に連動する。係員が在籍している間は、係員操作表示部の電源がオンなるため、操作性に対する悪影響はない。実際には、図示したように近接センサ４０による在／不在検知結果に基づいて係員操作表示部５０の電源が追従するため、ｔ３→ｔ４、ｔ１１→ｔ１２などに示すように若干デレー時間が発生する。
【００４１】
図４（５）は、発券部６０〜自動釣銭機１４０に示すその他ユニットの電源のオン／オフ状態を示す。例えば、図示した発券部６０の例では、係員が、係員操作表示部５０から乗車券（磁気乗車券）の発券処理を指示すると、この指示に基づいて発券部６０の電源がオンになる。発券部６０は、係員操作表示部５０から通知された発券情報を入力し、当該発券情報に基づく発券処理を行う。当該発券処理が終了すると、当該発券部６０の電源はオフする（タイミングｔ６）。図示した例では、タイミングｔ７→ｔ８の間及びタイミングｔ９→ｔ１０の間でも同様の発券処理が行われた場合を示す。
【００４２】
氏名転写部７０〜自動釣銭機１４０の電源動作も上述した発券部６０の電源動作と同様であるので、その説明を省略する。
【００４３】
図４（６）は係員が短い時間で在／不在を繰り返した場合を示す図である。また、図４（７）は、図４（６）に示す係員の在／不在が繰り返された場合の近接センサによる在／不在検知出力の動作結果を示すタイミングチャートである。
【００４４】
係員は、係員機１の近接センサ４０の検知範囲にじっとしているとは限らない。図示したように、当該近接センサ４０の検知範囲内を往復する場合もある。この様な場合に、当該近接センサ４０の検知出力に従って近接センサ５０による検知出力をそのまま使用すると、係員操作表示部５０の電源が不必要にオン／オフを繰り返すことになり、消費電力の低下が望めないだけでなく、装置の長寿命化の弊害になる場合もある。本実施例１では、この弊害を取り除くため、近接センサ４０が、係員の在を検知した場合には、当該センサの検知出力は追従して係員在と認識するが（ｔ３０）、係員の不在を検知した場合には、所定時間Ｔｐ継続して不在が検知された場合に不在と認識する処理を行い、その認識結果を近接センサ出力とするものである。このような信号処理を行うことにより、図示したような所定時間Ｔｐに満たない短時間に係員が在／不在を繰り返した場合であっても安定した動作を行うことができる。
【００４５】
上述した図４（７）に示す近接センサによる在／不在検出出力結果を上述した図４（３）に示す近接センサによる在／不在検知に使用することにより上述した同様の効果が得られるのは言うに及ばない。
【実施例２】
【００４６】
図５は、実施例２に係るユニットに供給する電源のグループ分けの一例である。この実施例２に係る構成は、図３（１）及び図３（２）に示す電源部１０、切換部２０及び制御部３０を有する電源切換機構と同様の構成によって達成できる。
【００４７】
図５（１）は、回数券発行時かつクレジット決済なしの場合に同時に電源をオンするユニットである。回数券発行時には、窓口表示部、ジャーナルプリンタ部、レシートプリンタ部、回数券発行機及び自動釣銭機の電源がオンになる。なお、この場合にも、実施例１で説明したように、近接センサ及び係員操作表示部の電源はオンになっていることが必要であり、この部分は、実施例１同様である。
【００４８】
図５（２）は、回数券発行時かつクレジット決済ありの場合に同時に電源をオンするユニットである。この場合は、図５（１）で電源がオンになるユニットに加えて、クレジット処理部の電源がオンになる。
【００４９】
図５（３）は、ＩＣ定期券発行時かつクレジット決済なしの場合に同時に電源をオンするユニッである。ＩＣ定期券発行時には、氏名転写部、客用表示部、ジャーナルプリンタ、レシートプリンタ、ＩＣカード処理部及び自動釣銭機の電源がオンになる。近接センサ及び係員操作表示部の電源がオンになっている必要があるのは上述した通りである。
【００５０】
図５（４）は、ＩＣ定期券発行時かつクレジット決済ありの場合に同時に電源をオンするユニッである。この場合は、図５（３）で電源がオンになるユニットに加えて、クレジットカード処理部の電がオンになる。
【００５１】
図５（５）は、磁気定期発行機券かつクレジット決済なしの場合に同時に電源をオンにするユニットである。磁気定期券発行時には、発券部、氏名転写部、客用表示部ジャーナルプリンタ、レシートプリンタ及び自動釣銭機の電源がオンになる。近接センサ及び係員操作表示部の電源がオンになっている必要があるのは上述した通りである。
【００５２】
図５（６）は、磁気定期発行機かつクレジット決済ありの場合に同時に電源をオンするユニットである。この場合は、図５（５）で電源がオンになるユニットに加えて、クレジットカード処理部の電源がオンになる。近接センサ及び係員操作表示部の電源がオンになっている必要があるのは上述した通りである。
【００５３】
以上説明したように本実施例２によれば、係員操作表示部から操作指示された機能を達成するために必要なユニットの電源がオンになるが、この機能達成に必要とされないユニットの電源はオフされるため、省エネ効果及びユニット長寿命化が図れる。また、当該ユニッの電源をオン／オフする制は、制御部が切換部に各ユニッ電源をオン／オフすべき省エネ情報をセットすることにより行うことができるため、省エネ情報変更なった場であっても容易に変更することができる。
【００５４】
以上説明したように、本発明の実施例１によれば、係員機を操作する係員の在／不在を近接センサで検知し、係員の不在時は、当該係員機を構成するユニットの電源をユニットごとにオフし、当該係員が在籍時にオフしたユニット電源を自動的に回復するようにすることにより省エネ効果が得られる係員機を提供することができる。また、実施例２によれば、実施例１の効果に加え、係員操作表示部から指示された機能を達成するために必要なユニットの電源がオンになるが、この機能達成に必要ないユニットの電源はオフされるためさらに省エネ効果及びユニットの長寿命化が図れる。
【符号の説明】
【００５５】
１  係員機
１０  電源部
２０  切換部
３０  制御部
４０  近接センサ
５０  係員操作表示部
６０  発券部
７０  氏名転写部
９０  ジャーナルプリンタ
１００  レシートプリンタ
１１０  ＩＣカード処理部
１４０  自動釣銭機
【図１】
0005932357.tif 000002
【図２】
0005932357.tif 000003
【図３】
0005932357.tif 000004
【図４】
0005932357.tif 000005
【図５】
0005932357.tif 000006